(57)【要約】【課題】スイング時に正しい姿勢に身体の動きを提供し、正しい姿勢にするためのスイング矯正上衣。    【解決手段】身頃７の前身頃の右側に胸部矯正部３と袖６の右腕内側に腕部矯正部２との対向する位置に、傾斜パイル地を取り付けたものであり、胸部矯正部３は右脇から体中心方向に向かって傾斜し、腕部矯正部２は右腕の上腕二頭筋から上腕三頭筋方向に向かって傾斜するように取り付け、対向した傾斜パイル地が地目の傾斜が流れる方向には動きやすく、地目の傾斜が摩擦する方向には動きにくくした、スイング矯正上衣である。また、左右両胸と左右両腕に同様に取り付けることもできる。   【選択図】  図１
2008303471.tif 000002
【特許請求の範囲】
【請求項１】
身体の上半身を覆う上衣であって、
身体の第一部位と第二部位の動きを矯正するものであって、
傾斜パイル地が前記第一部位と、前記第二部位の対向する側に設けられ、
傾斜パイル地の地目が、動きを規制する向きで干渉しあう方向になるように取り付けたスイング矯正上衣。
【請求項２】
ゴルフスイング時に上半身を覆う上衣であって、
前身頃の右の胸部付近に、傾斜パイル地を右脇から体の中心に向かう方向に傾斜するように取り付けた右胸部矯正部と、
袖の右腕内側付近に、前記傾斜パイル地を上腕二頭筋から上腕三頭筋に向かう方向に傾斜するように取り付けた右腕部矯正部とを備えたことを特徴とするスイング矯正上衣。
【請求項３】
ゴルフスイング時に上半身を覆う上衣であって、
前身頃の左の胸部付近に、傾斜パイル地を左脇から体の中心に向かう方向に傾斜するように取り付けた左胸部矯正部と、
袖の左腕内側付近に、傾斜パイル地を上腕二頭筋から上腕三頭筋に向かう方向に傾斜するように取り付けた左腕部矯正部とを備えたことを特徴とするスイング矯正上衣。
【請求項４】
請求項２記載の前記右胸部矯正部と前記右腕部矯正部と、
請求項３記載の前記左胸部矯正部と前記左腕部矯正部とを備えたことを特徴とするス
イング矯正上衣。
【発明の詳細な説明】
【技術分野】
【０００１】
本発明は、ゴルフのスイングの時に、脇を締め開かないようにし、また、締めた脇を開放するように矯正するゴルフスイング矯正上衣に関するものである。
【背景技術】
【０００２】
ゴルフスイング矯正衣として、ダウンスイングの時に、利き腕側の肩関節の動きを制限し、利き腕側の袖を前身頃側に引っ張るように構成され、
利き腕側のスイング動作を利き腕の反対側の腕に比して制限するように構成し、バックスイング時に、腕の動作が制限されず、スムーズに後側上方に動かせるように、利き腕前側脇に小さな伸縮弾性を付与し、脇から肘までの部分が後方に退かないように、利き腕後側脇には大きな伸縮弾性を付与したものがある。（例えば、特許文献1参照）
【０００３】
スイング練習ウエアとして、利き腕の脇があくのを防止するために、利き腕側の肘より上の袖がファスナーやボタンなどで、固定されたものと、
利き腕の脇のあき具合の調整をするためにその固定されたものの上に跨るようにバンドなど結束手段をもうけたものがある。（例えば、特許文献2参照）
【特許文献１】特開２００１−１５７７２７号公報
【特許文献２】特開平９−１２２２８５号公報
【発明の開示】
【発明が解決しようとする課題】
【０００４】
特許文献１は、右腕側の肩関節の動きを制限し、右腕側の袖を前身頃側に引っ張るために、右肩と右袖の部分などは大きな荷重により伸びる織布と、左肩と左袖は小さな荷重により伸びる織布による伸縮性のある糸を用いた織布によって製作され、右脇前部は、小さな荷重により伸びる織布と右脇後部は、大きな荷重により伸びる織布により製作されているが、
大きな荷重と小さな荷重とによる伸びは、構成の違いによる効果が把握できず、また、上衣全体が、伸縮性のある織布によって構成されているため、スイング時以外で着ると都合が悪く、着脱が容易でなく、着衣時も着心地が悪く、窮屈さを感じられる。
【０００５】
特許文献2は、両腕の脇があくのを防止するために、袖と身頃がファスナーやボタンなどで、固定されているが、
スイング時に脇の固定具を開放することができないため、テイクバックからバックスイングとダウンスイングはできるが、フィニッシュするフォームが容易にできない。
【課題を解決するための手段】
【０００６】
身体の上半身を覆う上衣であって、身体の第一部位と第二部位の動きを矯正するものであって、傾斜パイル地が前記第一部位と、前記第二部位の対向する側に設けられ、傾斜パイル地の地目が、矯正する方向であり、動きを規制する向きで干渉しあう方向になるように取り付けることにより上記目的が達成される。
【０００７】
上半身を覆う上衣であって前身頃の右の胸部付近に傾斜パイル地を右脇から体の中心に向かう方向に傾斜するように取り付けた右胸部矯正部と、
袖の右腕内側付近に上腕二頭筋から上腕三頭筋向かう方向に傾斜するように取り付けた右腕部矯正部とを備えることもできる。
【０００８】
また、上半身を覆う上衣であって前身頃の左の胸部付近に、傾斜パイル地を左脇から
体の中心に向かう方向に傾斜するように、取り付けた左胸部矯正部と、袖の左腕内側付近に上腕二頭筋から上腕三頭筋に向かう方向に傾斜するように取り付けた左腕部矯正部をもつ構造もできる。
【０００９】
そして、上半身を覆う上衣で、前身頃の左右のそれぞれに右胸部矯正部と左胸部矯正部を取り付け、両袖のそれぞれの右腕部矯正部と左腕部矯正部を取り付ける構造もできる。
【発明の効果】
【００１０】
本発明では、上半身を覆う上衣であって、前身頃の右の胸部付近に、傾斜パイル地を右脇から体の中心に向かう方向に傾斜するように取り付け、
袖の右腕内側付近に傾斜パイル地を上腕二頭筋から上腕三頭筋に向かう方向に、傾斜するように取り付けたことにより、身頃の右側の右胸部矯正部と右腕の右腕部矯正部は、対向し摺動すると、ゴルフスイング時に、アドレスからバックスイングに移るとき、傾斜する反対の方向には、傾斜パイル地の地目に摩擦があることによって、締まった右脇は、後方に動きにくくなるため、右脇は開かず腕と体が一体となった、理想的なバックスイングができる。
【００１１】
そして、ゴルフスイングのバックスイング時に締めた右脇は、
ダウンスイング時には、それぞれの傾斜する地目方向には摩擦が少なく、打ち込む方向には右脇の支障はなく逃げることになり、スムーズに右腕が流れて、理想的なインパクトへと導くフォームとなる。
【００１２】
また、右胸部矯正部は、右上半身の右脇方向から体の中心に向かう方向へ地目が流れ、
右腕部矯正部は、右腕内側の右上腕二頭筋から右上腕三頭筋へ地目が流れ、傾斜パイル生地の特徴である傾斜する方向には地目がスムーズに流れ、傾斜する方向と反対方向に対向し摺動すると地目に逆らい摩擦がおこり、動きを制限することになるため、
バックスウィングの時には、右脇が体の外側に逃げずに閉まり、ダウンスウィング時には、閉めた右脇が、内側にスムーズにはいってくることができ、打ち込む方向に支障なく右腕が逃げ、インパクトへ向かうことができる。
【００１３】
それから、前身頃の左の胸部付近に傾斜パイル地を脇から体の中心に向かう方向に
傾斜するように取り付け、袖の左腕内側付近に傾斜パイル地を上腕二頭筋から上腕三頭筋に向かう方向に傾斜するように取り付けたことにより、傾斜パイル地の地目が内側に向かう方向に傾斜するために、
身頃の左側の左胸部矯正部と左腕の左腕部矯正部は、対向して摺動し、バックスイング時には、傾斜パイル地の傾斜する方向と反対同士の方向には、摩擦がないことによって、左脇が内側に抵抗がなく入り、インパクトからフォロースイングにかけては、傾斜パイル地の傾斜する方向同士が対向するために、摩擦が生じ左脇が締り、外側に逃げにくくなり、理想的なスイングの姿勢になり、自然に左脇が締まったフォームが矯正される効果が得られる。
【００１４】
左右それぞれ両脇から左胸の中心に向かう方向に流れる傾斜パイル地を取り付けた左右それぞれの右胸部矯正部と左胸部矯正部と、左右それぞれ両袖が上腕二頭筋から上腕三頭筋方向に流れる傾斜パイル地を取り付けた右腕部矯正部と左腕部矯正部は、バックスイングで、右脇は地目同士の摩擦により体の外側に逃げにくくなり、右脇が締まり体と腕が一体になったバックスイングができ、左脇は地目同士の摩擦が少ないために左腕はスムーズに体の内側に入るバックスイングができ、インパクトからフォロースイングにかけては、左脇は対向する地目同士の摩擦があるために体の外側には逃げにくく脇が締まり、右脇は対向する地目同士に摩擦が少ないために、スムーズに体の内側に入るため、支障がないスイングができる。
【００１５】
上記効果は、右利きのゴルフスイングを中心とした効果の内容であるが、胸部矯正部と腕部矯正部が対向し摺動する部分は、左右対称であるため、左利きや左利きのゴルフスイングにおいて、同様の効果が得られる。
【００１６】
また、従来のような結束手段として、固定器具なども使わないために、ゴルフスイングを行うための自由な動きを両腕がすることができる。
【発明を実施するための最良の形態】
【００１７】
以下に本発明の実施の形態を、図面を参照して具体的に説明する。  
【００１８】
図１に示す本発明に係る上衣１は、ゴルフのスイングを矯正するためのものであり、
右胸部矯正部３と右腕部矯正部２は、傾斜パイル地の地目の傾く方向を矢印で示した
ものであり、形状は、少なくとも左右両上腕部を包む袖６と上半身を包む身頃７を
有し、首周りは、少なくとも頭の出し入れができるものであればよく、
袖は、半袖や長袖でもよく、上衣の生地は、通常使用される綿や化学繊維などでよく、
前身頃の右の胸部付近に傾斜パイル地を右脇から体の中心に向かう方向に傾斜するように取り付けた右胸部矯正部３と、傾斜パイル地を右腕内側に上腕二頭筋から、上腕三頭筋付近に向かう方向に傾斜するように取り付けた右腕部矯正部２とを有するものである。
【００１９】
上衣に取り付ける傾斜パイル地は、傾斜パイル生地の特徴である傾斜する方向にはスムーズに地目が流れ、傾斜する方向と反対方向には摩擦がおこり、すべりにくくなる特徴があり、傾斜パイル地どうしが対向し摺動すると、傾斜方向どうしと逆には動きやすく、傾斜方向どうしには摩擦が大きくなり動きを制限することになる。
【００２０】
右胸部矯正部３は前身頃の右脇から体の中心に向かう範囲と前身頃の右脇部の高さから前身頃の腰部付近までを覆うものであればよく、右腕部矯正部２は肩関節部から肘関節部付近までの長さと、右腕の内側をとおり上腕二頭筋から、上腕三頭筋下部方向までの幅があればよく、ゴルフのスイング時に脇を締めてかまえたとき、右胸部矯正部３と右腕部矯正部２が対向し摺動する位置に取り付ける。
【００２１】
右胸部矯正部３と右腕部矯正部２の取り付け方法は、上衣に、縫製するかまたは、取り外し可能にホックやボタンや面状テープなどを用いることもできる。
【００２２】
図２に示す本発明に係る上衣１は、図１が上衣の左側に取り付けたものであり、前身頃の左の胸部付近に傾斜パイル地を左脇から体の中心に向かう方向に傾斜するように取り付けた左胸部矯正部５と、左腕内側で傾斜パイル地を二の腕内側下部に左腕の上腕から二の腕内側下部付近に向かう方向に傾斜するように取り付けた左腕部矯正部４とを有するものである。
【００２３】
上衣に取り付ける傾斜パイル地は、傾斜する方向にはスムーズに地目が流れ、傾斜する方向と反対方向には摩擦がおこる特徴があり、傾斜パイル地が対向し摺動すると、地目の流れる方向には動きやすく、地目の摩擦のある方向には動きを制限することになるため、左胸部矯正部５は身頃の左脇から体の中心に向かって傾斜し、左腕部矯正部４は二の腕内側下部方向に向かって傾斜し、それぞれの傾斜する地目方向に流れるように、上衣の身頃に取り付ける。
【００２４】
左胸部矯正部５は前身頃の左脇から体の中心に向かう範囲と前身頃の左脇部の高さから前身頃の腰部付近までを覆うものであればよく、左腕部矯正部４は肩関節部から肘関節部付近までの長さと、左腕内側をとおり上腕二頭筋から上腕三頭筋方向までの幅があればよく、ゴルフのスイング時に左脇を締めてかまえたとき、左胸部矯正部５と左腕部矯正部４が対向し摺動する位置に取り付ける。
【００２５】
左胸部矯正部５と左腕部矯正部４の取り付け方法は、上衣に、縫製するかまたは、取り外し可能にホックやボタンや面状テープなどを用いることもできる。
【００２６】
図３に示す本発明に係る上衣１は、図１と図２に示した、右胸部矯正部３と右腕部矯正部２と、左胸部矯正部５と左腕部矯正部４とを、左右両方に取り付けた上衣であり、図1と図2と同様の取り付け方法ができる。
【００２７】
図４に示す本発明に係る上衣１は、図３に示した右胸部矯正部３と右腕部矯正部２と、左胸部矯正部５と左腕部矯正部４とを上衣に取り付けることにより、模様を示し、上衣の柄となるように取り付けた一例である。
【００２８】
本発明は、右胸部矯正部３と右腕部矯正部２と、左胸部矯正部５と左腕部矯正部４とをアタッチメントとして、取り付けや取りはずしを自在にすることができ、様々な上衣にも取り付けが可能である。
【図面の簡単な説明】
【００２９】
【図１】本発明に係る上衣の正面図である。
【図２】本発明に係る上衣の正面図である。
【図３】本発明に係る上衣の正面図である。
【図４】矯正部の形態の一例を示した上衣の正面図である。
【符号の説明】
【００３０】
１    上衣
２    右腕部矯正部
３    右胸部矯正部
４    左腕部矯正部
５    左胸部矯正部
６    袖
７    身頃  
８    模様型の右腕部矯正部
９    模様型の右胸部矯正部
１０    模様型の左腕部矯正部
１１    模様型の左胸部矯正部
【図１】
2008303471.tif 000003
【図２】
2008303471.tif 000004
【図３】
2008303471.tif 000005
【図４】
2008303471.tif 000006
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
ゴルフスイング時に身体の上半身を覆う上衣であって、
前身頃の右の胸部付近に傾斜パイル地を前記傾斜パイル地の地目が右脇から前身頃の中心に向かう方向に傾斜するように取り付けた右胸部矯正部と、
袖の右腕内側付近に傾斜パイル地を、前記傾斜パイル地の地目が上腕二頭筋から上腕三頭筋に向かう方向に傾斜するように取り付けた右腕部矯正部とを備え、
前記傾斜パイル地の地目が、前記右胸部矯正部と前記右腕部矯正部に摩擦をおこすように動きを規制する向きで干渉しあう方向に取り付けたことを特徴とするスイング矯正上衣。
【請求項２】
ゴルフスイング時に身体の上半身を覆う上衣であって、
前身頃の左の胸部付近に傾斜パイル地を、前記傾斜パイル地の地目が左脇から前身頃の中心に向かう方向に傾斜するようように取り付けた左胸部矯正部と、
袖の左腕内側付近に傾斜パイル地を、前記傾斜パイル地の地目が上腕二頭筋から上腕三頭筋に向かう方向に傾斜するように取り付けた左腕部矯正部とを備え、
前記傾斜パイル地の地目が、前記左胸部矯正部と前記左腕部矯正部に摩擦をおこすように動きを規制する向きで干渉しあう方向に取り付けたことを特徴とするスイング矯正上衣。
【請求項３】
ゴルフスイング時に身体の上半身を覆う上衣であって、
前身頃の右の胸部付近に傾斜パイル地を前記傾斜パイル地の地目が右脇から前身頃の中心に向かう方向に傾斜するように取り付けた前記右胸部矯正部と、
袖の右腕内側付近に傾斜パイル地を、前記傾斜パイル地の地目が上腕二頭筋から上腕三頭筋に向かう方向に傾斜するように取り付けた前記右腕部矯正部と、
前身頃の左の胸部付近に傾斜パイル地を、前記傾斜パイル地の地目が左脇から前身頃の中心に向かう方向に傾斜するように取り付けた前記左胸部矯正部と、
袖の左腕内側付近に傾斜パイル地を、前記傾斜パイル地の地目が上腕二頭筋から上腕三頭筋に向かう方向に傾斜するように取り付けた前記左腕部矯正部とを備え、
前記傾斜パイル地の地目が、前記右胸部矯正部と前記右腕部矯正部、前記左胸部矯正部と前記左腕部矯正部の双方の矯正部に摩擦をおこすように動きを規制する向きで干渉しあう方向に取り付けたことを特徴とするスイング矯正上衣。